(57)【要約】【課題】サイクロン本体内の圧力を低くした場合にも、気体の旋回運動が発生しサイクロン効果による粉塵の捕集が可能なサイクロン装置を提供する。【解決手段】サイクロン本体２１内に、導入管２２より導入した粉塵含有気体の旋回方向と略一致する旋回方向に、この気体を旋回させつつ、サイクロン本体２１の下部へ案内する整流固定翼２８ａ−２８ｄを複数設ける。整流固定翼２８ａ−２８ｄは、円筒部２４の中心軸に直交する所定の平面に沿い、サイクロン本体２１内部の排出管２３の外周部と円筒部２４または円錐台状部２５の内周部との間に放射状に固定配置された複数のフィンを有する。複数のフィンは、円筒部の中心軸線に直交する第１平面に対して傾斜角３０度〜５０度の傾斜角を有する。【選択図】図２
2011016095.tif 000002
【特許請求の範囲】
【請求項１】
粉塵含有気体中の粉塵を捕集するために用いられるサイクロン装置であって、
粉塵含有気体を導入する導入口をもつ円筒部と、該円筒部の下部に位置し該円筒部と同一軸線になるように結合し且つ下方に向けて径が狭まるとともに下端に開口を有する中空の円錐台状部と、前記円筒部の上面に位置し、粉塵含有気体中の粉塵を分離した気体を排出する排出口をもつ天板部と、前記円錐台状部の前記開口した下端部に結合した粉塵回収部とを有する密閉されたサイクロン本体と、
粉塵含有気体を、前記サイクロン本体の円筒部に設けた導入口から前記サイクロン本体の内部に、前記円筒部の内周面に沿って略水平方向に導入する導入管と、
前記サイクロン本体の天板部に設けた排出口から前記サイクロン本体内に前記サイクロン本体と同一軸線になるように延在させて、前記サイクロン本体内に２つの空間部である内側空間部と外側空間部とに区画形成し、前記粉塵含有気体中の粉塵を分離した気体を、吸引して前記サイクロン本体から排出させる円筒状の排出管と、
前記排出管を通じた吸引により、前記サイクロン本体内を所定の減圧雰囲気にした状態にて、前記導入管によりサイクロン本体内に導入した前記粉塵含有気体の旋回方向と略一致する旋回方向に、前記粉塵含有気体を旋回させつつ、前記サイクロン本体の下部へ案内する整流手段と
を備えることを特徴とするサイクロン装置。
【請求項２】
前記所定の減圧雰囲気は、７３ｋＰａ（約５５０Ｔｏｒｒ）以下である請求項１に記載のサイクロン装置。
【請求項３】
前記整流手段は、前記円筒部の中心軸線に直交する第１平面に沿い、前記サイクロン本体内の前記外側空間部に放射状に固定配置された複数のフィンを有する整流固定翼を含んで構成され、該複数のフィンは、前記第１平面に対して所定の傾斜角を有することを特徴とする請求項１または２に記載のサイクロン装置。
【請求項４】
前記整流手段は、サイクロン本体の軸線方向に所定の間隔をおいて配設された複数の前記整流固定翼により構成されることを特徴とする請求項３に記載のサイクロン装置。
【請求項５】
前記複数のフィンの前記所定の傾斜角は３０度以上５０度以下であることを特徴とする請求項３または４に記載のサイクロン装置。
【請求項６】
前記複数のフィンの前記所定の傾斜角を略４０度としたことを特徴とする請求項３または４に記載のサイクロン装置。
【請求項７】
前記整流固定翼の開口率は２０％以上４０％以下であることを特徴とする請求項３〜６のいずれか一項に記載のサイクロン装置。
【請求項８】
前記整流固定翼の開口率は、略２９．８％であることを特徴とする請求項７に記載のサイクロン装置。
【請求項９】
前記サイクロン本体は、使用時において、前記整流固定翼により該サイクロン本体内に気圧差が生じるように構成されたことを特徴とする請求項３〜８のいずれか一項に記載のサイクロン装置。
【発明の詳細な説明】
【技術分野】
【０００１】
本発明は、粉塵含有気体中に含まれる粉塵を分離するために用いられるサイクロン装置に関し、特に、サイクロン本体内の気圧を低下させた状態で使用することができるサイクロン装置に関する。
【背景技術】
【０００２】
従来、粉塵含有気体に含まれる粉塵を分離して除去する装置として、粉塵含有気体を容器内で高速に旋回させて遠心力により分離を行うサイクロン装置が知られている（例えば特許文献１−３参照）。
【０００３】
例えば、図６は、特許文献３に記載の従来のサイクロン装置１０１の概略構成を示す図である。サイクロン装置１０１は、主に、サイクロン本体１０２とサイクロン本体１０２に粉塵含有気体を導入させる導入管１０３と、サイクロン本体１０２から粉塵含有気体の粉塵を分離した気体を排出させる排出管１０４とから構成されている。
【０００４】
サイクロン本体１０２は、粉塵含有気体を導入する導入口をもつ円筒部１０５と、円筒部１０５の下端にこの円筒部１０５と同一軸線になるように結合し且つ下方に向けて径が狭まるとともに下端に開口を有する中空の円錐台状部１０６と、円筒部１０５の上面に位置し、粉塵含有気体中の粉塵を分離した気体を排出する排出口をもつ天板部１０７と、円錐台状部１０６の開口した下端部に結合する粉塵回収部１０８とから構成され、外部から気密に密閉されている。また、導入管１０３は、サイクロン本体１０２の円筒部１０５に設けた導入口から、円筒部１０５の内周壁面に沿う方向に粉塵含有気体を導入させるように、円筒部１０５に気密に結合されている。さらに、排出管１０４は、サイクロン本体１０２の天板部１０７に設けた排出口からサイクロン本体１０２内にサイクロン本体１０２と同軸になるように延在している。ここでも、天板部１０７の排出口と排出管１０４との間は気密に結合されている。
【０００５】
サイクロン装置１０１の使用状態において、導入管１０３からは粉塵を含む気体が流入するとともに、排出管１０４は図視しない排気用ポンプに接続される。導入管１０３から流入した粉塵含有気体は、サイクロン本体１０２の円筒部１０５の導入口から、円筒部１０５の内周面に沿う旋回方向に導入される。一方、サイクロン本体１０２内の排出管１０４の端部周辺では、排気ポンプにより生じる引圧のため、排出管１０４の管口に向けての気体の流れが発生する。その結果、サイクロン本体内には、円筒部１０５の上部から円錐台状部１０６の下方に向けて中心軸の周りに旋回する旋回流が発生する。
【０００６】
この旋回により、粉塵含有気体に含まれる粉塵の粒子は遠心力により気体から分離され、重力により沈下して粉塵回収部１０８に捕集される。特に、円錐台状部１０６の下部では径が狭まるとともに気体の旋回は高速となり、高い粉塵の分離効果が得られる。これによって、排出管１０４から排出する排気に含まれる粉塵の量が低減される。
【０００７】
サイクロン装置は、上述のように、粉塵を除去するためにフィルタを使用しないので、フィルタの目詰まりによる不具合が発生せず、また、フィルタ交換のために装置を止める必要もないため、長時間安定して使用することができるという優れた特性を有している。
【先行技術文献】
【特許文献】
【０００８】
【特許文献１】特開平１１−０９０２７４
【特許文献２】特開２００６−８８０６４
【特許文献３】特開２００６−１０２６５７
【発明の概要】
【発明が解決しようとする課題】
【０００９】
しかしながら、本発明者らによるシミュレーションによれば、サイクロン装置は、サイクロン本体内の気圧が低い場合には十分な気体の旋回運動が起こらないために、粉塵の分離効果が得られないことが分った。例えば、所定の装置構成で、サイクロン本体内の気圧を約７３ｋＰａ（約５５０Ｔｏｒｒ）未満とし、サイクロン本体内を流れるガス流量を毎分数十〜２００リットルとしたところ、気流旋回運動が発生しないというシミュレーション結果を得ている。このため、例えば、単結晶引き上げ装置等で、サイクロン装置を高真空装置の排気系から粉体を分離して除去する目的で使用しようとした場合、サイクロン本体内の気圧を高真空ないし低圧に保持することが必要となるため、従来のサイクロン装置は利用することができないことになる。
【００１０】
したがって、これらの点に着目してなされた本発明の目的は、サイクロン本体内の圧力を低くした場合にも、気体の旋回運動を発生しサイクロン効果による粉塵の捕集が可能なサイクロン装置を提供することにある。
【課題を解決するための手段】
【００１１】
上記目的を達成する請求項１に係るサイクロン装置の発明は、
粉塵含有気体中の粉塵を捕集するために用いられるサイクロン装置であって、
粉塵含有ガスを導入する導入口をもつ円筒部と、該円筒部の下部に該位置し円筒部と同一軸線になるように結合し且つ下方に向けて径が狭まるとともに下端に開口を有する中空の円錐台状部と、前記円筒部の上面に位置し、粉塵含有気体中の粉塵を分離した気体を排出する排出口をもつ天板部と、前記円錐台状部の前記開口した下端部に結合した粉塵回収部とを有する密閉されたサイクロン本体と、
粉塵含有気体を、前記サイクロン本体の円筒部に設けた導入口から前記サイクロン本体の内部に、前記円筒部の内周面に沿って略水平方向に導入する導入管と、
前記サイクロン本体の天板部に設けた排出口から前記サイクロン本体内に前記サイクロン本体と同一軸線になるように延在させて、前記サイクロン本体内に２つの空間部である内側空間部と外側空間部とに区画形成し、前記粉塵含有気体中の粉塵を分離した気体を、吸引して前記サイクロン本体から排出させる円筒状の排出管と、
前記排出管を通じた吸引により、前記サイクロン本体内を所定の減圧雰囲気にした状態にて、前記導入管によりサイクロン本体内に導入した前記粉塵含有気体の旋回方向と略一致する旋回方向に、前記粉塵含有気体を旋回させつつ、前記サイクロン本体の下部へ案内する整流手段と
を備えることを特徴とするものである。
【００１２】
請求項２に係る発明は、請求項１に記載のサイクロン装置において、
前記所定の減圧雰囲気は、７３ｋＰａ（約５５０Ｔｏｒｒ）以下であることを特徴とするものである。
【００１３】
請求項３に係る発明は、請求項１または２に記載のサイクロン装置において、
前記整流手段は、前記円筒部の中心軸線に直交する第１平面に沿い、前記サイクロン本体内の前記外側空間部に放射状に固定配置された複数のフィンを有する整流固定翼を含んで構成され、該複数のフィンは、前記第１平面に対して所定の傾斜角を有することを特徴とするものである。
【００１４】
請求項４に係る発明は、請求項３に記載のサイクロン装置において、
前記整流手段は、サイクロン本体の軸線方向に所定の間隔をおいて配設された複数の前記整流固定翼により構成されることを特徴とするものである。
【００１５】
請求項５に係る発明は、請求項３または４に記載のサイクロン装置において、
前記複数のフィンの前記所定の傾斜角は３０度以上５０度以下であることを特徴ものである。
【００１６】
請求項６に係る発明は、請求項３または４に記載のサイクロン装置において、
前記複数のフィンの前記所定の傾斜角を略４０度としたことを特徴とする。
【００１７】
請求項７に係る発明は、請求項３〜６のいずれか一項に記載のサイクロン装置において、
前記整流固定翼の開口率は２０％以上４０％以下であることを特徴とするものである。
【００１８】
請求項８に係る発明は、請求項７に記載のサイクロン装置において、
前記整流固定翼の開口率は、略２９．８％であることを特徴とするものである。
【００１９】
請求項９に係る発明は、請求項３〜８のいずれか一項に記載のサイクロン装置において、
前記サイクロン本体は、使用時において、前記整流固定翼により該サイクロン本体内に気圧差が生じるように構成されたことを特徴とするものである。
【発明の効果】
【００２０】
本発明によれば、導入管より導入した粉塵含有気体の旋回方向と略一致する旋回方向に、この気体を旋回させつつ、前記サイクロン本体の下部へ案内する整流手段を設けたので、サイクロン本体内の圧力を低くした場合にも、排出管を通じた吸引力により、気体の旋回運動を発生させ、サイクロンによる粉塵の捕集をすることができる。さらに、固定配置された整流手段を用いることにより、装置の製造および運転に要するコストを抑制することができる。
【図面の簡単な説明】
【００２１】
【図１】本発明の第１実施の形態に係るサイクロン装置を単結晶引上装置の排気系に接続した状態を示す概略構成図である。
【図２】第１実施の形態に係るサイクロン装置の概略構成を斜め上方から眺めたときの透視図である。
【図３】整流固定翼を示す斜視図である。
【図４】シミュレーションによるサイクロン装置内における粉体の挙動を示す図である。
【図５】第２実施の形態に係るサイクロン装置の概略構成を示す側面図である。
【図６】従来のサイクロン装置の概略構成を示す図である。
【発明を実施するための形態】
【００２２】
以下、本発明の実施の形態について、図を参照して説明する。
【００２３】
（第１実施の形態）
図１は、本発明の第１実施の形態に係るサイクロン装置を単結晶引上装置の排気系に接続した状態を示す概略構成図である。本実施の形態では、サイクロン装置は、単結晶引上装置の排気に含まれる微小の粒子からなる粉体を分離して除去するために使用される。
【００２４】
図１において、単結晶引上装置１１は、チョクラルスキー法によるシリコン等の半導体単結晶の引上装置であり、そのチャンバ１１ａは、排気系の一部を構成する排気管１２に接続されている。排気系は、この排気管１２、スロットルバルブ１３、サイクロン装置１４およびポンプ１５により構成される。排気管１２のチャンバ１１ａが接続された端部と異なる端部は、後述するサイクロン装置１４の導入管に接続される。スロットルバルブ１３は、排気管１２の管路に設けられ、排気管１２を流れるガスの流量を調整することにより、チャンバ１１ａ内の圧力を調整する。さらに、サイクロン装置１４の後述する排出管は、ポンプ１５に接続される。ポンプ１５は、図示しないメカニカルブースターポンプとドライポンプとを直列して構成されており、チャンバ１１ａを０．１３Ｐａ（約１ｍＴｏｒｒ）以下の高真空まで減圧することが可能である。
【００２５】
次に、サイクロン装置１４について説明する。図２は、サイクロン装置１４の概略構成を斜め上方から眺めたときの透視図である。サイクロン装置１４は、主に、サイクロン本体２１と、排気管１２に接続されサイクロン本体２１に粉塵含有気体を導入させる導入管２２と、ポンプ１５に接続されポンプ１５の吸引によりサイクロン本体２１から粉塵含有気体中の粉塵を分離した気体を排出させる円筒状の排出管２３と、サイクロン本体２１内に設けられた整流固定翼２８ａ−２８ｄとから構成されている。
【００２６】
サイクロン本体２１は、粉塵含有気体を導入する導入口をもつ円筒部２４と、円筒部２４の下端部にこの円筒部２４と同一軸線になるように結合し且つ下方に向けて径が狭まるとともに下端に開口を有する中空の円錐台状部２５と、円筒部２４の上面に位置し、粉塵含有気体中の粉塵を分離した気体を排出する排出口をもつ天板部２６と、円錐台状部２５の開口した下端部に結合する粉塵回収部２７とから構成される中空の構造を有し、内部の空間は外部から気密に密閉されている。
【００２７】
また、導入管２２は、サイクロン本体２１の円筒部２４の導入口から、円筒部２４の内周面に沿う方向に水平に気体を導入させるように、円筒部２４に気密に結合されている。さらに、排出管２３は、一端部がサイクロン本体の天板部２６に設けた排出口からサイクロン本体２１に同一軸線になるように延在し、サイクロン本体２１の内部で円筒状の中筒部２３ａを形成している。この中筒部２３ａは、サイクロン本体内に２つの空間部である内側空間部と外側空間部とを区画形成する。ここでも、天板部２６の排出口と排出管２３との間は気密に結合されている。また、排出管２３の他端部は、ポンプ１５へ接続される。さらに、サイクロン本体２１の内において、外側空間部、すなわち、排出管２３の中筒部２３ａの外周面とサイクロン本体２１の内周面との間には、整流手段を構成する４つの整流固定翼２８ａ−２８ｄが設けられている。
【００２８】
図３は、整流固定翼２８ａ−２８ｄを示す斜視図である。各整流固定翼２８ａ−２８ｄは、内周リング３１と外周リング３２と５０枚の細長い平板状のフィン３３とから構成されている。内周リング３１は、排出管２３の中筒部２３ａの外周に、３方向からボルト締めで結合されている。各フィン３３は、一端が内周リング３１に結合し、長手方向を円筒部２４および円錐台状部２５の中心軸を中心とした略放射方向に向けて等間隔に配列される。また、他端は外周リング３２に結合し、これによって外周リング３２を支持する。また、各フィン３３は、整流固定翼を通過する気体が、導入管２２から円筒部の内周に沿って導入される気体の旋回方向と同じ旋回方向に旋回するように傾斜している。この傾斜角度は、円筒部２４の中心軸線に直交する第１平面、すなわち、図３では内周リングおよび外周リングを含む水平面に対して３０°または４５°に設定可能に構成されている。
【００２９】
次に、単結晶引上装置１１により、結晶成長を行う際の、サイクロン装置１４の作用について図１、２を参照して説明する。
【００３０】
結晶成長時において、単結晶引上装置１１のチャンバ１１ａ内には、シリコン融液から蒸発するＳｉＯ２等の浮遊物質（アモルファスの粉体）が発生する。この浮遊物質は、製造される単結晶の品質に悪影響を与えるため、図示しない導入管からＡｒガスなどの不活性ガスをチャンバ１１ａに供給しつつ、排気系を構成する排気管１２からこの気体を排出することにより、気体とともにチャンバ１１ａ外へ排出される。これにより、チャンバ１１ａ内の清浄を保つことができる。
【００３１】
従って、単結晶引上装置１１の排気系を流れる気体には、ＳｉＯ２等の微小な粉体が含まれる。この粉体はチャンバ１１ａ内の気体とともに、排気管１２およびスロットルバルブ１３を経由して、導入管２２からサイクロン装置１４のサイクロン本体２１内に円筒部２４の内周面に沿う方向に流入する。さらに、この流入した気体は、４段に配置された整流固定翼２８ａ−２８ｄのそれぞれを通過することにより旋回運動を行う。
【００３２】
ここで、整流固定翼２８ａ−２８ｄは、ポンプ１５により排出管２３のサイクロン本体２１内の開口部に生じる引圧のため、これら整流固定翼２８ａ−２８ｄによって隔てられたサイクロン本体２１の各空間に、気体の流入する上部から下部に向けて順次高真空となるように気圧差を生じさせる。このため、気体の旋回速度は整流固定翼を通過するとともに、順次高速となり円錐台状部２５の下部に至る。円錐台状部２５の下部に到達した気体は、その後、排出管２３を経てポンプ１５へ排出される。サイクロン本体２１の導入管２２が接続された側の気圧は、約２．７ｋＰａ（約２０Ｔｏｒｒ）である。
【００３３】
ここで、サイクロン本体２１に流入した気体内に含まれる微小な粉体は、一部は、整流固定翼２８ａ−２８ｄのフィン３３に衝突して、これらフィンに付着するとともに、サイクロン本体２１内で発生する旋回流によるサイクロン効果により、遠心力により気体から分離され重力により粉塵回収部２７に沈下し、捕集される。
【００３４】
これによって、微小な粉体が分離され取り除かれた気体が、ポンプ１５に送出されるので、ポンプ１５のメカニカルブースターポンプ内のロータに、粉体が付着、堆積して、ポンプが停止したり、ポンプそのものが破損したりするなどの不具合や事故の発生を防止することができる。
【００３５】
図４は、シミュレーションによるサイクロン装置内における粉体の挙動を示す図である。図４（ａ）は、整流固定翼を有さない従来のサイクロン装置によるものであり、図４（ｂ）は、本願発明に係るサイクロン装置１４を用いたものである。このシミュレーションにおいて、サイクロン装置内１４の気圧は２７．２ｋＰａ−２８．０ｋＰａである。また、サイクロン装置１４の整流固定翼２８ａ−２８ｄの各フィンは、円筒部２４の中心軸線に直交する第１平面、すなわち、図４において水平面に対して、４５度の傾きを有するものとした。このシミュレーションにより、高真空下で、図４（ａ）に示す従来のサイクロン装置では気流の旋回が発生せず、気体が粉塵回収部２７付近まで下降しない一方、図４（ｂ）に示す本願発明のサイクロン装置１４では、内部で気流が旋回して粉塵回収部２７まで高速旋回をして下降することが確認された。さらに、本発明のサイクロン装置１４では、微小粉体はポンプ１５まで移送されず、排出管２３の屈曲部までに留まることが確認された。
【００３６】
さらに、フィンの水平面に対する角度を３０度−５０度（最も好ましくは４０度）とし、整流固定翼の開口率を２０％−４０％（最も好ましくは、２９．８％）とした場合に、整流固定翼を２段以上設ければ、サイクロン本体を流れる気体の流量が毎分１８０リットルの条件下で、サイクロン本体２１の内部が９．３ｋＰａ−２５ｋＰａの高真空であっても気体が旋回運動をして、径が１０μｍ以上の粉体を捕集できることを確認した。ここで、「開口率」は、円筒部の中心軸方向に見たサイクロン本体の断面積に対する整流固定翼のフィン間の間隙の面積の比率である。
【００３７】
さらに、本願の発明者らが実験機を用いて行った実験に拠れば、サイクロン本体を流れる気体の流量が毎分１８０リットル、サイクロン装置１４内部の気圧を１６ｋＰａ−２０ｋＰａとし、また、フィン３３の角度を４５度としたところ、整流固定翼２８ａ−２８ｄのフィン３３の気体の導入方向前面にのみ粉体が付着し、ポンプ１５に付着する粉体の量に減少が見られた。フィンの背面に粉体が付着しないことは、サイクロン装置１４内で気体の旋回運動が発生しているためと解される。
【００３８】
以上説明したように本実施の形態によれば、サイクロン装置において、気流を所定の旋回方向に案内する整流固定翼を設けたので、サイクロン本体内を真空に排気しながら、気流旋回運動を発生させることができ、気体内の微小な粉体を気体から分離除去することができる。さらに、整流固定翼２８ａ−２８ｄのフィン３３に微小粉体が付着することにより、フィルタの役割をするので、より粉体の除去効率を高めることができる。
【００３９】
（第２実施の形態）
図５は、第２実施の形態に係るサイクロン装置の概略構成を示す側面図である。本実施の形態は、第１実施の形態に係るサイクロン装置において、上述のシミュレーションの結果に基づいて、整流固定翼を２段にしたものである。図５に示すように、２つの整流固定翼２８ａおよび２８ｂは、サイクロン本体２１の円筒部２４の外側空間部に設けられている。また、整流固定翼２８ａ，２８ｂのフィン３３の、円筒部２４の中心軸線に直交する第１平面、すなわち、図５における水平面に対する傾斜角度を４０°とする。この装置のサイクロン本体２１は、メンテナンス性を考慮し、円筒部の中間および円筒部と円錐台状部との間で分割可能に構成されている。その他の構成は、第１実施の形態のサイクロン装置１４と同様なので、同一構成要素には同一の参照符号を付して説明を省略する。
【００４０】
以上のような構成によって、本実施の形態のサイクロン装置１４は、第１実施の形態のサイクロン装置１４と同様に、サイクロン本体２１の内部を真空に排気しながら、気流旋回運動を発生させることができることが確認された。このとき、１０μｍ以上の大きさの微小粉体が捕集され、ポンプ１５へは送出されないことも確認された。したがって、本実施の形態に拠れば、整流固定翼を２段で構成するより簡単且つ軽量な装置構成によって、第１実施の形態と同様のサイクロン効果による微小粉体の分離、除去が可能になった。
【００４１】
なお、本発明は、上記実施の形態にのみ限定されるものではなく、幾多の変形または変更が可能である。例えば、上記の実施の形態において、整流固定翼は４段または２段の構成を例示したが、これと異なる段数の構成としても良い。また、各整流固定翼２８ａ−２８ｄのフィンの数を５０枚としたが、これに限られず、他の枚数のフィンを用いた整流固定翼を用いることも可能である。さらに、フィン３３の形状は平板状としたが、これに限られず、旋回流を発生させるために様々な形状を採ることが可能である。
【００４２】
なお、本発明のサイクロン装置の減圧雰囲気の好適な範囲は、約９．３ｋＰａ−７３ｋＰａであり、各整流固定翼間の好適な圧力差は、約４．７ｋＰａ−５．３ｋＰａである。
【産業上の利用可能性】
【００４３】
本発明のサイクロン装置を用いることで、サイクロン本体内の圧力を低くした場合にも、排出管を通じた吸引力により、気体の旋回運動を発生させ、サイクロンによる粉塵の捕集をすることができる。さらに、固定配置された整流手段を用いることにより、装置の製造および運転に要するコストを抑制することができる。
【符号の説明】
【００４４】
１１    単結晶引上装置
１１ａ    チャンバ
１２    排気管
１３    スロットルバルブ
１４    サイクロン装置
１５    ポンプ
２１    サイクロン本体
２２    導入管
２３    排出管
２３ａ    中筒部
２４    円筒部
２５    円錐台状部
２６    天板部
２７    粉塵回収部
２８ａ−２８ｄ    整流固定翼
３１    内周リング
３２    外周リング
３３    フィン
１０１    サイクロン装置
１０２    サイクロン本体
１０３    導入管
１０４    排出管
１０５    円筒部
１０６    円錐台状部
１０７    天板部
１０８    粉塵回収部
【図１】
2011016095.tif 000003
【図２】
2011016095.tif 000004
【図３】
2011016095.tif 000005
【図４】
2011016095.tif 000006
【図５】
2011016095.tif 000007
【図６】
2011016095.tif 000008